(57)【要約】【課題】導光部材、表示板及び見返し部材の位置関係のずれが抑制される表示装置および表示装置の製造方法を提供する。【解決手段】表示装置は、発光部１６６と、表示板１３と、中ケース１４と、表示板１３の周縁に沿うように配置され、第１凸部１２３ａが前方に露出し発光部１６６からの光を受けて第１凸部１２３ａが光る導光部材１２と、表示板１３の前方に位置し、表示板１３の外周側を覆う見返し部材１１と、中ケース１４、表示板１３、導光部材１２および見返し部材１１を一体化して固定するための螺子１５と、を備える。中ケース１４、表示板１３、導光部材１２および見返し部材１１は、それぞれ、互いに表示板１３の厚さ方向に重なると、その厚さ方向に連通する螺子孔を形成する突出部１４１、１３１、１２１、１１１を有する。螺子１５は、上記螺子孔に螺合される。【選択図】図１
2017150905.tif 000002
【特許請求の範囲】
【請求項１】
光を放射する発光部と、
前記発光部から放射された光の一部を透過させることで意匠を表す表示板と、
前記発光部を収容しつつ前記表示板を支持し、前記発光部から放射される光を前記表示板に導く中ケースと、
前記表示板の周縁に沿うように配置され、少なくとも一部が視認者側に露出し前記発光部からの光を受けて光る導光部材と、
前記表示板の視認者側に位置し、前記表示板の外周側を覆う見返し部材と、
前記中ケース、前記表示板、前記導光部材および前記見返し部材を一体化して固定するための螺子と、を備え、
前記中ケース、前記表示板、前記導光部材および前記見返し部材は、それぞれ、互いに前記表示板の厚さ方向に重なると、前記厚さ方向に連通する螺子孔を形成する突出部を有し、
前記螺子は、前記螺子孔に螺合される、
表示装置。
【請求項２】
前記導光部材は、前記導光部材の周方向に並んで設けられ視認者側に向かって突出する第１凸部を有し、
前記見返し部材には、前記第１凸部の一部が嵌入する凹部が形成されている、
請求項１に記載の表示装置。
【請求項３】
前記導光部材は、前記表示板と前記見返し部材との間に位置し、
前記導光部材は、更に、
前記第１凸部に対応する位置から前記発光部に向かって突出する第２凸部を有し、
前記表示板には、前記第２凸部が貫通するスリットが形成されている、
請求項２に記載の表示装置。
【請求項４】
請求項１から３のいずれか１項に記載の表示装置の製造方法であって、
前記中ケース、前記表示板、前記導光部材および前記見返し部材を一体化してサブユニットを組み立てる工程と、
前記サブユニットを前記発光部が実装された基板および筐体に組み付ける工程と、を含む、
表示装置の製造方法。
【発明の詳細な説明】
【技術分野】
【０００１】
本発明は、表示装置および表示装置の製造方法に関する。
【背景技術】
【０００２】
表示板と指針とを有するアナログ式表示部を備える単眼式の車両用計器（表示装置）が提案されている（例えば特許文献１）。特許文献１に記載された表示装置では、表示板が、メータケース内に配置されたインナーケース（中ケース）に固定され、見返し部材が表示板の周部に配置されている。この見返し部材は、表示板の視認性やデザイン性を高めるために設けられるものである。
【０００３】
この種の表示装置として、見返し部材と表示板との間に表示板の目盛部分を光らせるための導光部材が配置されたものが提供されている（例えば特許文献２）。このような表示装置では、導光部材と表示板との位置関係がずれないように、導光部材と表示板とが溶着ピン等により固定され、表示板がインナーケースに固定されている（例えば特許文献３）。
【先行技術文献】
【特許文献】
【０００４】
【特許文献１】特開２０１１−１６９５９７号公報
【特許文献２】特開２００３−０６５８０９号公報
【特許文献３】特開２０１４−１３４４１２号公報
【発明の概要】
【発明が解決しようとする課題】
【０００５】
しかしながら、前述の構成では、例えば表示装置が搭載された車両の振動等により、溶着ピンによる導光部材と表示板との固定が外れるおそれがある。これにより、導光部材、表示板及び見返し部材の位置関係がずれて、導光部材に光源からの光が供給された際、表示装置の見栄えが悪化するおそれがある。
【０００６】
本発明は、上記事由に鑑みてなされたものであり、導光部材、表示板及び見返し部材の位置関係のずれが抑制される表示装置および表示装置の製造方法を提供することを目的とする。
【課題を解決するための手段】
【０００７】
上記目的を達成するため、本発明に係る表示装置は、
光を放射する発光部と、
前記発光部から放射された光の一部を透過させることで意匠を表す表示板と、
前記発光部を収容しつつ前記表示板を支持し、前記発光部から放射される光を前記表示板に導く中ケースと、
前記表示板の周縁に沿うように配置され、少なくとも一部が視認者側に露出し前記発光部からの光を受けて光る導光部材と、
前記表示板の視認者側に位置し、前記表示板の外周側を覆う見返し部材と、
前記中ケース、前記表示板、前記導光部材および前記見返し部材を一体化して固定するための螺子と、を備え、
前記中ケース、前記表示板、前記導光部材および前記見返し部材は、それぞれ、互いに前記表示板の厚さ方向に重なると、前記厚さ方向に連通する螺子孔を形成する突出部を有し、
前記螺子は、前記螺子孔に螺合される。
【発明の効果】
【０００８】
本発明によれば、導光部材、表示板及び見返し部材の位置関係のずれが抑制される。
【図面の簡単な説明】
【０００９】
【図１】本発明の実施の形態に係る表示装置の分解斜視図である。
【図２】実施の形態に係る表示装置の平面図である。
【図３】実施の形態に係る表示装置の図２のＡ−Ａ断面矢視図である。
【図４】実施の形態に係る中ケースの斜視図である。
【図５】実施の形態に係る表示装置の図２のＢ−Ｂ断面矢視図である。
【図６】（Ａ）は比較例に係る表示装置の一部断面図であり、（Ｂ）は実施の形態に係る表示装置の一部断面図である。
【発明を実施するための形態】
【００１０】
以下に、本発明の一実施の形態に係る表示装置について添付図面を参照しながら説明する。
【００１１】
この表示装置は、いわゆる単眼式の車両用メータであり、例えば自動二輪車等に搭載される。この表示装置は、図１および図２に示すように、表示板１３と、表示板１３の周部に沿って配列され目盛として機能する複数の第１凸部１２３ａと、指針１７と、を備え、使用時において第１凸部１２３ａが光る。そして、指針１７が複数の第１凸部１２３ａに対して移動することにより、視認者に速度等の計測値を通知する。表示装置は、筐体１８と、制御ユニット１６と、中ケース１４と、表示板１３と、導光部材１２と、見返し部材１１と、螺子（固定部材）１５と、指針１７と、カバー（図示せず）と、を備える。以下、適宜図１に示す表示装置における上方を前方とし、下方を後方として説明する。また、前方が、表示装置を視認する視認者側になる。
【００１２】
筐体１８は、略有底円筒状であり、ポリプロピレン等の非透光性樹脂から形成されている。筐体１８の底壁の一部には、図３に示すように、螺子孔１８１が設けられており、制御ユニット１６を筐体１８に固定するための螺子１９が螺着されている。螺子１９は、金属から形成されている。
【００１３】
制御ユニット１６は、図１に示すように、軸部１６１と、軸部１６１を回転させるステッピングモータ１６２と、発光部１６６、１６７と、ステッピングモータ１６２および発光部１６６が実装される制御基板１６０と、を備える。制御基板１６０は、円板状であり、中央部に軸部１６１が挿通される貫通孔１６３が設けられている。また、制御基板１６０の外周縁部には、螺子１９が挿通される貫通孔１６４と螺子２１が挿通される貫通孔１６５とが設けられている。ステッピングモータ１６２は、制御ユニット１６が筐体１８に固定された状態で制御基板１６０の後面に実装され、貫通孔１６３に挿通された軸部１６１に連結されている。そして、軸部１６１は、制御基板１６０に対してステッピングモータ１６２側とは反対側に突出している。
【００１４】
発光部１６６、１６７は、ＬＥＤ（Light Emitting Diode）から構成され、制御ユニット１６の前方へ光を放射する。３つの発光部１６６は、貫通孔１６３を囲むように配置されている。２つの発光部１６７は、制御基板１６０の外周縁部に沿って配置されている。
【００１５】
中ケース１４は、図１に示すように、発光部１６６、１６７を収容しつつ、見返し部材１１、導光部材１２および表示板１３を支持し、発光部１６６、１６７から放射される光を表示板１３に導く。また、中ケース１４は、発光部１６６、１６７から放射される光を発光部１６６、１６７の光軸に直交する方向へ広げて表示板１３の後面へ導く機能を有する。中ケース１４は、図４に示すように、円筒状の枠部１４０ａと、発光部１６６から放射される光を中ケース１４の径方向外側へ向けて反射する第１反射部１４９と、第１反射部１４９から入射する光を前方へ反射する第２反射部１４０ｂと、を有する。また、中ケース１４は、枠部１４０ａから枠部１４０ａの径方向における外方へ突出した突出部１４１を有する。中ケース１４は、白色または反射率の高い色の樹脂材料、例えば、ポリプロピレン樹脂から形成されている。
【００１６】
第１反射部１４９は、前方に向かって拡径する略円筒状の形状を有し、その筒軸が枠部１４０ａの中心軸に略一致するように枠部１４０ａの内側に配置されている。第１反射部１４９の内側には、軸部１６１が挿通される円筒状の筒部１４８が設けられている。第１反射部１４９は、後述の第２反射部１４０ｂの開口部１４０ｃから離れた状態で、第１反射部１４９の一部が開口部１４０ｃに連結されている。第１反射部１４９の外周縁部のうち筒部１４８を挟んで対向する２箇所には、ボス１４３が設けられている。各ボス１４３には、図１に示すように、螺子２０が螺着される螺子孔１４４が設けられている。
【００１７】
第２反射部１４０ｂは、図４に示すように、平面視円形の椀状であり、その中央部に平面視円形の開口部１４０ｃが形成されている。第２反射部１４０ｂは、枠部１４０ａの内側に配置され、その開口部１４０ｃの前方に第１反射部１４９が配置されている。また、第２反射部１４０ｂにおける２つの発光部１６７に対向する部位には、それぞれ発光部１６７から放射された光を透過させるための開口部１４０ｄが設けられている。また、図３に示すように、第２反射部１４０ｂには、その後面側に突出するボス１４５が設けられている。ボス１４５には、螺子１９が螺着される螺子孔１４６が設けられている。
【００１８】
突出部１４１は、螺子１５が螺着される螺子孔１４２を有する。突出部１４１は、図４に示すように、枠部１４０ａの前端部の周方向における３箇所に位置する。
【００１９】
表示板１３は、図１に示すように、中ケース１４の前面に配置され、発光部１６６、１６７から放射された光の一部を透過させることで意匠を表す。ここで、「意匠」とは、文字や数字等を意味する。表示板１３は、円板状であり複数（図１では７つ）のスリット１３３が周縁に沿って弧状に並んで設けられた基部１３０と、基部１３０から基部１３０の径方向における外方へ突出した突出部１３１と、を有する。表示板１３は、例えば透光性の樹脂材料等からなる基板の前面に透過意匠部分を除いて遮光層を形成し後面に反射層を形成したものからなる。
【００２０】
基部１３０は、中ケース１４の枠部１４０ａの前方を覆うように配置されている。基部１３０の前面には、例えば車両速度やエンジン回転数を示す数字等からなる複数の透過指標部分が形成されている。基部１３０の中央部には、制御ユニット１６の軸部１６１が挿通される貫通孔１３４が設けられている。また、基部１３０における貫通孔１３４の周囲には、螺子２０が挿通される２つの貫通孔１３５が設けられている。表示板１３は、２つの貫通孔１３５に挿通された螺子２０が中ケース１４の螺子孔１４４に螺着されることにより中ケース１４に固定される。
【００２１】
突出部１３１は、表示装置の前方から見て突出部１４１に重なる部位に相当し、螺子１５が螺着される螺子孔１３２を有する。突出部１３１は、基部１３０の周縁部における３箇所に位置する。
【００２２】
複数のスリット１３３は、それぞれ平面視で細長矩形状であり、前述の目盛として機能する複数の第１凸部１２３ａに対応する部位に設けられている。
【００２３】
導光部材１２は、表示板１３の周縁に沿うように配置され、第１凸部１２３ａが前方に露出するように設けられている。そして、導光部材１２は、発光部１６６、１６７からの光を受けて前方に露出した第１凸部１２３ａが光る。導光部材１２は、円環板状の導光部材本体１２０と、導光部材本体１２０の周方向に並んで設けられ導光部材本体１２０の前面から前方に突出する複数の第１凸部１２３ａと、導光部材本体１２０の第１凸部１２３ａに対応して位置し導光部材本体１２０の後面から後方に突出する複数の第２凸部１２３ｂと、を有する。導光部材１２は、更に、導光部材本体１２０から導光部材本体１２０の径方向における外方へ突出した第２突出部（第２部位）１２１を有する。導光部材１２は、透光性の樹脂材料、例えばポリカーボネート樹脂やアクリル樹脂から形成されている。導光部材本体１２０は、円環板状であり、表示板１３の前面外周側を覆うように配置されている。第１凸部１２３ａ及び第２凸部１２３ｂは、導光部材１２の径方向に沿う長方形板状で形成される。対応する両凸部１２３ａ，１２３ｂは、導光部材本体１２０に直交する１枚の略長方形板を構成する。複数の第１凸部１２３ａは導光部材本体１２０の周方向に沿って配置され目盛として機能する。第２凸部１２３ｂは、図５に示すように、表示板１３に設けられたスリット１３３を貫通している。
【００２４】
突出部１２１は、図１に示すように、表示装置の前方から見て突出部１３１に重なる部位に相当し、螺子１５が螺着される螺子孔１２２を有する。突出部１２１は、導光部材本体１２０の外側の周縁部における３箇所に位置する。
【００２５】
見返し部材１１は、表示装置の装飾と視認者が表示装置を斜め前方から見たときに表示板１３の外周部に配置された部品が見えないようにすることとを目的とするものである。見返し部材１１は、表示板１３の前方に位置し、表示板１３の外周側を覆っている。見返し部材１１は、円筒状の見返し部材本体１１ａと、フランジ部１１ｂと、ボス（突出部）１１１と、を有する。見返し部材１１は、非透光性の樹脂材料、例えばＡＢＳ樹脂から形成されている。
【００２６】
見返し部材本体１１ａは、その筒軸方向における後端部が導光部材１２に対向する形で配置されている。フランジ部１１ｂは、見返し部材本体１１ａの後端部から見返し部材本体１１ａの径方向における外方へ張り出している。突出部１１１は、見返し部材本体１１ａの周方向における３箇所（図２参照）に位置し、見返し部材本体１１ａから見返し部材本体１１ａの径方向における外方へ突出している。突出部１１１は、表示装置の前方から見て中ケース１４の突出部１４１、表示板１３の突出部１３１および導光部材１２の突出部１２１と重なる部位に相当する。各突出部１１１の後面には、図３に示すように、螺子１５が螺着（固定）される螺子孔１１３が設けられている。突出部１４１、１３１、１２１、１１１は、それぞれ 、互いに表示板１３の厚さ方向に重なると、螺子孔１４２、１３２、１２２、１１３から構成され、表示板１３の厚さ方向に連通する螺子孔を形成する。見返し部材本体１１ａの後面には、図１に示すように、見返し部材本体１１ａの後端部からフランジ部１１ｂに亘って延在する複数の凹部１１２が設けられている。複数の凹部１１２は、見返し部材本体１１ａの周方向に沿って並んでいる。各凹部１１２には、図５に示すように、導光部材１２の第１凸部１２３ａの径方向外側部分が嵌入され、第１凸部１２３ａの径方向内側部分は見返し部材本体１１ａから内側にはみ出している。また、凹部１１２は、見返し部材１１が導光部材１２に固定された状態で、第１凸部１２３ａとの間にクリアランス（隙間）が存在する大きさに設定されている。
【００２７】
螺子１５は、図１に示すように、見返し部材１１に、中ケース１４、表示板１３および導光部材１２を一体化して固定するためのものである。また、螺子１５は、金属から形成されている。
【００２８】
指針１７は、細長の指示部１７１と、制御ユニット１６の軸部１６１に固定される指針基部１７０と、を有する。指示部１７１は、例えば透光性の樹脂材料から形成される。指針基部１７０は、例えば非透光性の樹脂材料から形成される。指針１７は、軸部１６１に固定された状態で、その指示部１７１が表示板１３の前方に配置される。
【００２９】
カバーは、筐体１８の開口部分を覆うように筐体１８に取り付けられる。カバーは、等光性を有する樹脂材料から形成される。
【００３０】
次に、本実施の形態に係る表示装置について、発光部１６６が発光すると導光部材１２の第１凸部１２３ａが光る仕組みについて簡単に説明する。発光部１６６から前方へ放射された光は、中ケース１４の第１反射部１４９により中ケース１４の径方向外側へ向けて反射され、第２反射部１４０ｂへ入射する。そして、第２反射部１４０ｂへ入射した光は、前方へ反射され表示板１３の後面に入射する。表示板１３の後面に入射した光のうちスリット１３３に入射した光は、導光部材１２の第２凸部１２３ｂに入射する。第２凸部１２３ｂに入射した光は、第１凸部１２３ａに導光され、第１凸部１２３ａから外部へ放射される。このような仕組みで、発光部１６６が発光すると導光部材１２の第１凸部１２３ａが光る。
【００３１】
次に、本実施の形態に係る表示装置の組み立て方法について説明する。まず、図１に示すように、螺子２０により表示板１３を中ケース１４に固定する。次に、突出部１１１、１２１、１３１、１４１が表示板１３の厚さ方向に重なるように、中ケース１４、表示板１３、導光部材１２および見返し部材１１を重ねる。このとき、突出部１４１、１３１、１２１、１１１それぞれの螺子孔１４２、１３２、１２２、１１３から１つの螺子孔が形成される。そして、螺子１５をこの螺子孔に螺着することにより、中ケース１４と表示板１３と導光部材１２とを、見返し部材１１に共締め固定する。このようにして、中ケース１４、表示板１３、導光部材１２および見返し部材１１を一体化してサブユニットを組み立てる。
【００３２】
続いて、制御ユニット１６の軸部１６１が上記サブユニットを構成する中ケース１４の筒部１４８の内側と表示板１３の貫通孔１３４とに挿通される形で、制御ユニット１６の制御基板１６０を中ケース１４の後面側に当接させる。そして、螺子２１により、制御ユニット１６を上記サブユニットに固定する。その後、指針１７を貫通孔１３４に挿通された軸部１６１に取り付ける。
【００３３】
次に、制御ユニット１６および上記中間構造物を、筐体１８の内側に配置し、螺子１９により制御ユニット１６および上記中間構造物を、筐体１８に固定する。このとき、螺子１９は、図３に示すように、筐体１８の貫通孔１６４、制御基板１６０の貫通孔１６４および中ケース１４の螺子孔１４６それぞれに螺合する。このようにして、上記サブユニットを、制御基板１６０および筐体１８に組み付ける。最後に、筐体１８にカバーを取り付けることにより表示装置が完成する。
【００３４】
以上説明したように、本実施の形態に係る表示装置では、螺子１５により、中ケース１４、表示板１３、導光部材１２および見返し部材１１が一体化して固定されている。これにより、例えば表示装置に振動等が加わった場合における、導光部材１２、表示板１３および見返し部材１１の位置関係のずれの発生が抑制される。従って、導光部材１２が発光部１６６、１６７からの光を受けて第１凸部１２３ａが光っているときにおける表示装置の見栄えの悪化を抑制することができる。
【００３５】
また、本実施の形態に係る表示装置では、見返し部材１１が、突出部１１１に螺子１５が螺合する螺子孔１１３を有する。また、中ケース１４が突出部１４１に螺子孔１４２を有し、表示板１３が突出部１３１に螺子孔１３２を有し、導光部材１２が突出部１２１に螺子孔１２２を有する。そして、各螺子孔１４２、１３２、１２２には、螺子１５が螺着される。一方、例えば図６（Ａ）に示すような比較例に係る表示装置では、図６（Ａ）に示すように、見返し部材９１１に導光部材１２と表示板１３とを固定するための溶着ピン９１２が設けられている。なお、図６（Ａ）において実施の形態１と同様の構成は図３と同一の符号を付している。溶着ピン９１２は、導光部材１２の螺子孔１２２と表示板１３の螺子孔１３２とに挿通される。この表示装置において、図６（Ａ）の矢印ＡＲ１、ＡＲ２に示すように、見返し部材９１１および導光部材１２それぞれに表示板１３に対して摺動するように外力が加わったとする。この場合、図６（Ａ）の矢印ＡＲ９３に示すように、見返し部材９１１および導光部材１２に加わる外力の全てが溶着ピン９１２を介して表示板１３に伝わり、表示板１３に加わるストレスは比較的大きい。
【００３６】
これに対して、本実施の形態に係る表示装置では、図６（Ｂ）の矢印ＡＲ３、ＡＲ４に示すように、見返し部材１１および導光部材１２それぞれに加わる外力が、螺子１５を介して表示板１３と中ケース１４との両方に分散されて伝わる。従って、表示板１３に加わるストレスが外力の一部が中ケース１４に伝わる分だけ小さくなる。
【００３７】
また、本実施の形態に係る表示装置の組立方法では、導光部材１２、表示板１３および中ケース１４を螺子１５により見返し部材１１に共締め固定して見返し部材１１、導光部材１２、表示板１３および中ケース１４からなる中間構造物を作製する。これにより、中間構造物を組み立てる工程と、中間構造物を使って表示装置を組み立てる工程と、を分割できるので、組立ラインのバリエーションを増やすことができる。従って、中間構造物を組み立てる工程と表示装置を組み立てる工程とのそれぞれの出来高に応じて適切に人員配置を変更することが可能となるので、表示装置の組み立て効率の向上を図ることができる。
【００３８】
更に、本実施の形態に係る導光部材１２は、導光部材１２の周方向に並んで設けられ前方に向かって突出する第１凸部１２３ａを有し、見返し部材１１には、第１凸部１２３ａの一部が嵌まる凹部１１２が形成されている。そして、前述のように、第１凸部１２３ａと凹部１１２との間には、クリアランスが存在することにより、第１頭部１２３ａが光っている状態での第１凸部１２３ａの見栄えが良好になっている。また、導光部材１２と見返し部材１１とは一体化されている。これにより、表示装置に振動が加わったときの導光部材１２と見返し部材１１との位置関係のずれが抑制されているので、第１凸部１２３ａと凹部１１２との間のクリアランスが維持され、第１凹部１２３ａの見栄えを良好に維持できるという利点がある。
【００３９】
また、導光部材１２の第２凸部１２３ｂが、表示板１３のスリット１３３に嵌入されている。これにより、表示板１３の後面に導かれた光の一部が、第２凸部１２３ｂに入り第１凸部１２３ａに導光されてから前方へ放射される。従って、第２凸部１２３ｂに入った光が第１凸部１２３ａへ効率良く導光されるので、視認者が目盛として機能する第１凸部１２３ａをより鮮明に視認することができる。
【００４０】
更に、導光部材１２と表示板１３とが一体化されていることにより、第２凸部１２３ｂとスリット１３３との位置関係のずれが抑制されるので、例えば第２凸部１２３ｂがスリット１３３の周縁に当接することに起因した第２凸１２３ｂの損傷等が抑制される。
【００４１】
また、本実施の形態に係る表示装置では、中ケース１４、表示板１３および導光部材１２を見返し部材１１に固定するため螺子１５が金属から形成されている。これにより、例えば樹脂製の溶着ピンにより中ケース１４、表示板１３および導光部材１２が見返し部材１１に固定された構成に比べて、固定部分の破断等の発生が抑制される。
【００４２】
以上、本発明の実施の形態について説明したが、本発明は前述の実施の形態の構成に限定されるものではない。例えば、表示装置が、いわゆる単眼式ではない車両用メータであってもよい。具体的には、１つの筐体の中に複数の表示板を備える構成や２つの単眼式の車両用メータを備えたいわゆるコンビネーションメータであってもよい。
【００４３】
実施の形態では、導光部材１２が表示板１３の前方に配置される例について説明したが、これに限らず、導光部材が、中ケース１４と表示板１３との間に配置されるものであってもよい。
【００４４】
実施の形態では、導光部材１２が第１凸部１２３ａおよび第２凸部１２３ｂを有する例について説明したが、これに限らず、導光部材１２が平坦な円環板状であってもよい。
【００４５】
実施の形態では、表示装置が指針１７を備えるアナログ式計器である例について説明したが、これに限定されない。例えば、表示装置が、指針１７を備えないものであってもよい。また、表示装置はカバーを備えない構成であってもよい。
【符号の説明】
【００４６】
１１：見返し部材、１１ａ：見返し部材本体、１２０：導光部材本体、１１ｂ：フランジ部、１２：導光部材、１３：表示板、１４：中ケース、１５，１９，２０，２１：螺子、１６：制御ユニット、１７：指針、１８：筐体、１４３，１４５：ボス、１１３，１２２，１３２，１４２，１４４，１４６，１４７，１８１：螺子孔、１１１，１２１，１３１，１４１：突出部、１１２：凹部、１２３ａ：第１凸部、１２３ｂ：第２凸部、１３０：基部、１３３：スリット、１３４，１３５，１６３，１６４，１６５：貫通孔、１４０ａ：枠部、１４０ｂ：第２反射部、１４０ｃ，１４０ｄ：開口部、１４８：筒部、１４９：第１反射部、１６０：制御基板、１６１：軸部、１６２：ステッピングモータ、１６６，１６７：発光部、１７０：指針基部、１７１：指示部
【図１】
2017150905.tif 000003
【図２】
2017150905.tif 000004
【図３】
2017150905.tif 000005
【図４】
2017150905.tif 000006
【図５】
2017150905.tif 000007
【図６】
2017150905.tif 000008